(57)【要約】【課題】必要に応じて足元を暖めたり、脚の広い範囲を暖めたりすることができ、使い勝手がよい発熱器支持装置を提供する。【解決手段】支持部１１および脚部１２は、中間部に対して両端を同じ側に折り曲げた形状の１対のフレーム部材１５を互いに並列に配置し複数の棒状の連結部材１６で着脱可能に連結して一体的に構成されている。支持部１１は、脚部１２により設置面との間に足を挿入可能な高さで支持され、両足を挿入可能な長さを有する。発熱器取付部１３は、発熱器を着脱可能に取付け、支持部１１の長さ以内の細長い形状を有し、支持部１１の長さ方向に沿った位置と支持部１１の長さ方向に対し垂直をなす位置との間で、設置面と対向して回転可能かつ着脱可能に支持部１１に設けられている。各水平材１４は、各フレーム部材１５の対向する端部に着脱可能に取り付けられて各端部を互いに連結している。【選択図】図１
2004226002.tif 000002
【特許請求の範囲】
【請求項１】
支持部と脚部と発熱器取付部とを有し、
前記支持部は前記脚部により設置面との間に足を挿入可能な高さで支持され、両足を挿入可能な長さを有し、
前記発熱器取付部は発熱器を取付け可能であって前記支持部の長さ以内の細長い形状を有し、前記支持部の長さ方向に沿った位置と前記支持部の長さ方向に対し垂直をなす位置との間で設置面と対向して回転可能に前記支持部に設けられていることを、
特徴とする発熱器支持装置。
【請求項２】
前記支持部にこたつ用電熱器が設置面と対向するよう着脱可能に取り付けられていることを、特徴とする請求項１記載の発熱器支持装置。
【請求項３】
前記発熱器取付部は前記支持部に着脱可能に取り付けられ、
前記発熱器取付部に発熱器が着脱可能に取り付けられ、
前記支持部および前記脚部は中間部に対して両端を同じ側に折り曲げた形状の１対のフレーム部材を互いに並列に配置し複数の棒状の連結部材で分解可能に連結して一体的に構成され、
２本の水平材を有し、各水平材は各フレーム部材の対向する端部に着脱可能に取り付けられて各端部を互いに連結していることを、
特徴とする請求項１または２記載の発熱器支持装置。
【発明の詳細な説明】
【０００１】
【発明の属する技術分野】
本発明は、発熱器を取り付けて暖房装置として使用する発熱器支持装置に関する。
【０００２】
【従来の技術】
従来、足元を暖めるための一般的な暖房装置として、置きごたつがある。しかし、従来のこたつは、４人用のものが多く、１人用に寝床で布団の中に入れて使用するには大きすぎるという問題がある。
【０００３】
この問題を解決し、１人用に布団の中で用いることができる暖房装置として、敷き布団等の足元近辺にパイプでコの字形の橋を設け、橋の内部に保温ヒーターを内蔵させて足元を暖めるものがある（例えば、特許文献１参照）。
【０００４】
【特許文献１】
登録実用新案第３０３６７０７号公報
【０００５】
【発明が解決しようとする課題】
しかしながら、特許文献１に記載の暖房装置では、パイプ状の橋の周囲のみが暖められるため、足元の限られた部分しか暖めることができず、膝や脚全体などの広い範囲を暖めることができないという課題があった。
【０００６】
本発明は、このような従来の課題に着目してなされたもので、必要に応じて足元を暖めたり、脚の広い範囲を暖めたりすることができ、使い勝手がよい発熱器支持装置を提供することを目的とする。
【０００７】
【課題を解決するための手段】
上記目的を達成するために、本発明に係る発熱器支持装置は、支持部と脚部と発熱器取付部とを有し、前記支持部は前記脚部により設置面との間に足を挿入可能な高さで支持され、両足を挿入可能な長さを有し、前記発熱器取付部は発熱器を取付け可能であって前記支持部の長さ以内の細長い形状を有し、前記支持部の長さ方向に沿った位置と前記支持部の長さ方向に対し垂直をなす位置との間で設置面と対向して回転可能に前記支持部に設けられていることを、特徴とする。
【０００８】
本発明に係る発熱器支持装置は、発熱器取付部に発熱器を取り付け、布団で覆って、置きごたつとして使用される。このとき、支持部により支持された布団の中で支持部の長さ方向に対し垂直方向に両足を挿入し、暖めることができる。
【０００９】
発熱器は、発熱器取付部の全体に取り付けても、一部のみに取り付けてもよい。発熱器を発熱器取付部の全体に取り付けた場合、発熱器取付部が支持部の長さ方向に沿った位置にあるときには、支持部の下に挿入した両足に対し、横断する方向に伸びた発熱器により、足元などの暖めたい箇所を集中的に暖めることができる。発熱器取付部を支持部の長さ方向に対し垂直をなす位置に回転したときには、支持部の下に挿入した両足に沿って伸びた発熱器により、脚の広い範囲を暖めることができる。このように、必要に応じて足元などの一部を暖めたり、脚の広い範囲を暖めたりすることができ、使い勝手がよい。なお、支持部および脚部は、伸縮させて長さ調節可能であることが好ましい。
【００１０】
また、本発明に係る発熱器支持装置では、発熱器取付部は支持部の長さ以内の細長い形状を有しているため、収納の際には発熱器取付部を支持部の長さ方向に沿わせて収納スペースを小さくすることができる。
【００１１】
本発明に係る発熱器支持装置は、前記支持部にこたつ用電熱器が設置面と対向するよう着脱可能に取り付けられていてもよい。
【００１２】
この場合、発熱器取付部に発熱器を取り付ける代わりに、こたつ用電熱器により暖房を行うことができる。こたつ用電熱器は、必要に応じて、支持部から取り外したり交換したりすることができる。なお、こたつ用電熱器は、市販のものをそのまま用いてもよい。また、支持部にこたつ用電熱器を取り付けたうえ、さらに発熱器取付部に発熱器を取り付けてもよい。
【００１３】
本発明に係る発熱器支持装置は、前記発熱器取付部は前記支持部に着脱可能に取り付けられ、前記発熱器取付部に発熱器が着脱可能に取り付けられ、前記支持部および前記脚部は中間部に対して両端を同じ側に折り曲げた形状の１対のフレーム部材を互いに並列に配置し複数の棒状の連結部材で分解可能に連結して一体的に構成され、２本の水平材を有し、各水平材は各フレーム部材の対向する端部に着脱可能に取り付けられて各端部を互いに連結していることが好ましい。
【００１４】
この場合、本発明に係る発熱器支持装置は、発熱器取付部、発熱器、１対のフレーム部材、複数の連結部材および２つの水平材に分解して容易に持ち運ぶことができ、また、場所を取らずに収納することができる。
【００１５】
この構成では、各フレーム部材の端部に取り付けられた２本の水平材を設置面に沿わせて設置面上に設置される。このため、４本の脚で支持される場合よりも安定性がよい。また、４本の脚で支持する場合に比べて、水平材と設置面との接触面積が広いため、荷重が分散されて布団の生地を傷めにくい。
【００１６】
【発明の実施の形態】
以下、図面に基づき、本発明の実施の形態について説明する。
図１乃至図５は、本発明の実施の形態を示している。
図１および図２に示すように、発熱器支持装置１０は、支持部１１と脚部１２と発熱器取付部１３と２本の水平材１４とを有している。
【００１７】
支持部１１および脚部１２は、１対の鉄製のフレーム部材１５および連結部材１６から成っている。１対のフレーム部材１５は、まっすぐの中間部１５ａに対して両端１５ｂを同じ側に垂直からやや広がるよう折り曲げた形状を成している。各フレーム部材１５には、中間部１５ａの側面の、中央と、中央から両端側に離れた位置とに凸部（図示せず）が設けられている。凸部は、フレーム部材１５に丸棒を溶接して形成されている。
【００１８】
支持部１１および脚部１２は、各フレーム部材１５を互いに並列に配置して３本の棒状の連結部材１６で分解可能に連結して一体的に構成されている。各連結部材１６は、アルミニウム製の中空の丸棒から成り、各フレーム部材１５の対向する３箇所の凸部に両端を着脱可能に嵌合させて各フレーム部材１５を連結している。
【００１９】
支持部１１は各フレーム部材１５の中間部１５ａおよび連結部材１６から成り、脚部１２は各フレーム部材１５の両端１５ｂから成る。支持部１１は、脚部１２により設置面との間に足を挿入可能な高さで支持され、両足を挿入可能な長さを有している。支持部１１を構成する中間部１５ａおよび脚部１２を構成する両端１５ｂは、伸縮させて長さ調節可能となっていることが好ましい。この場合、支持部１１の長さおよび高さを調節して利用することができる。
【００２０】
図１および図２に示すように、発熱器取付部１３は、鉄製の丸棒から成り、矩形状をなしている。発熱器取付部１３は、支持部１１の幅と同じ幅を有し、支持部１１の長さ以内の長さ（中間部１５ａの長さ以下の長さ）を有している。発熱器取付部１３は、中間部に補強部材１３ａが張り渡されている。発熱器取付部１３は、補強部材１３ａの中央部で連結部材１６の中央部に、ボルト１３ｂ、ナット１３ｃおよびワッシャー１３ｄにより着脱可能に取り付けられている。これにより、発熱器取付部１３は、支持部１１の長さ方向に沿った位置と（図２（Ａ）の実線参照）、支持部１１の長さ方向に対し垂直をなす位置（図２（Ａ）の２点鎖線参照）との間で、設置面と対向して回転可能となっている。図３に示すように、発熱器取付部１３には、発熱器１７を取付け可能である。発熱器１７としては、線面発熱体や面状発熱体などが使用可能である。発熱器１７は、発熱器取付部１３に着脱可能に取り付けられる。
【００２１】
２本の水平材１４は、木製の丸棒から成る。各水平材１４は各フレーム部材１５の対向する端部に着脱可能に取り付けられて各端部を互いに連結している。各水平部材１４は、側面に２つの貫通孔１４ａを有し、その貫通孔１４ａに各フレーム部材１５の端部を差し込み、貫通孔１４ａの内部でボルトにより締め付けて取り付けられている。
【００２２】
図３に示す発熱器１７は、線面発熱体を布製カバー１７ａで覆ったものから成っている。布製カバー１７ａは、縁部に取付け用の紐１７ｂが縫い付けられている。発熱器１７は、紐１７ｂにより発熱器取付部１３に結んで取り付けられる。
【００２３】
図４に示すように、発熱器支持装置１０は、発熱器１７の代わりに、こたつ用電熱器１８を取り付けることもできる。こたつ用電熱器１８は、設置面と対向するよう、鉤型状の金具１８ａを支持部１１に引っ掛けて着脱可能に取り付けられる。こたつ用電熱器１８は、市販のものをそのまま用いてもよい。
【００２４】
なお、発熱器支持装置１０の具体的な一例では、図２ａに示すように、フレーム部材１５は直径が６ｍｍの鉄製の丸棒から成り、連結部材１６は直径が８ｍｍ、長さ１６ａが２９９ｍｍの中空の丸棒から成る。フレーム部材１５の凸部は直径６ｍｍ、長さ５０ｍｍの鉄製の丸棒をフレーム部材１５に溶接して形成されている。支持部１１は、幅１１ａが３００ｍｍ、両端の連結部材１６間の長さ１１ｂが５００ｍｍである。脚部１２は、高さ１２ａが３００ｍｍで支持部１１を支持しており、各水平材１４の間の幅１２ｂが３００ｍｍ、長さ１２ｃが８００ｍｍである。
【００２５】
発熱器取付部１３は直径が６ｍｍの鉄製の丸棒から成り、幅１３ｅが３００ｍｍ、長さ１３ｆが６００ｍｍである。補強部材１３ａは直径が８ｍｍ、長さが２９９ｍｍのアルミ製の丸棒から成る。各水平材１４は、直径が３０ｍｍ、長さが５００ｍｍである。図３に示す発熱器１７には、幅１７ｃが２４０ｍｍ、長さ１７ｄが７００ｍｍ、厚さ１２ｍｍ、１００Ｖ、３５Ｗのものが用いられる。図４に示すこたつ用電熱器１８は、一辺１８ｂが３００ｍｍの正方形状で、１００Ｖ、６００Ｗである。
なお、これらの数値は、ほんの一例であって、他の寸法、容量のものを自由に用いることができる。
【００２６】
次に、作用について説明する。
図５に示すように、発熱器支持装置１０は、発熱器取付部１３に発熱器１７を取り付け、布団１で覆って、置きごたつとして使用される。このとき、支持部１１により支持された布団１の中で支持部１１の長さ方向に対し垂直方向に両足を挿入し、暖めることができる。また、発熱器支持装置１０は、就寝用の布団やベッドの中に持ち込んで使用することができる。これにより、足元を暖めて快適に眠ることができる。
【００２７】
発熱器１７は、発熱器取付部１３の全体に取り付けても、一部のみに取り付けてもよい。発熱器１７を発熱器取付部１３の全体に取り付けた場合、発熱器取付部１３が支持部１１の長さ方向に沿った位置にあるときには、図５（Ａ）に示すように、支持部１１の下に挿入した両足に対し、横断する方向に伸びた発熱器１７により、足元などの暖めたい箇所を集中的に暖めることができる。発熱器取付部１３を支持部１１の長さ方向に対し垂直をなす位置に回転したときには、図５（Ｂ）に示すように、支持部１１の下に挿入した両足に沿って伸びた発熱器１７により、脚の先から太ももまでの広い範囲を暖めることができる。このように、発熱器支持装置１０は、必要に応じて足元などの一部を暖めたり、脚の広い範囲を暖めたりすることができ、使い勝手がよい。
【００２８】
発熱器１７に用いることができる線面発熱体や面状発熱体は、遠赤外線を利用した温熱効果を有し、春の日だまりのようなポカポカした温もりが得られる。また、直接肌と接しないため、雰囲気が暖かく、やさしい。また、発熱器１７は、発熱器支持装置１０から取り外して、台所、トイレ、風呂場などの足元暖房、布団乾燥具、押入などの結露防止具として使用することができる。
【００２９】
また、図４に示すように、発熱器支持装置１０は、発熱器取付部１３に発熱器１７を取り付ける代わりに、こたつ用電熱器１８により暖房を行うことができる。こたつ用電熱器１８は、必要に応じて、支持部１１から取り外したり交換したりすることができる。また、支持部１１にこたつ用電熱器１８を取り付けたうえ、さらに発熱器取付部１３に発熱器１７を取り付けてもよい。
【００３０】
発熱器支持装置１０では、発熱器取付部１３は支持部１１の長さ以内の細長い形状を有しているため、収納の際には発熱器取付部１３を支持部１１の長さ方向に沿わせて収納スペースを小さくすることができる。さらに、発熱器支持装置１０は、発熱器取付部１３、発熱器１７、１対のフレーム部材１５、複数の連結部材１６および２つの水平材１４に分解して容易に持ち運ぶことができ、また、場所を取らずに収納することができる。
【００３１】
発熱器支持装置１０は、各フレーム部材１５の端部に取り付けられた２本の水平材１４を設置面に沿わせて設置面上に設置される。このため、４本の脚で支持される場合よりも安定性がよい。また、４本の脚で支持する場合に比べて、水平材１４と設置面との接触面積が広いため、荷重が分散されて布団１の生地を傷めにくい。
【００３２】
【発明の効果】
本発明によれば、必要に応じて足元を暖めたり、脚の広い範囲を暖めたりすることができ、使い勝手がよい発熱器支持装置を提供することができる。
【図面の簡単な説明】
【図１】本発明の実施の形態の発熱器支持装置を示す斜視図である。
【図２】図１に示す発熱器支持装置の（Ａ）平面図、（Ｂ）側面図である。
【図３】図１に示す発熱器支持装置に発熱器を取り付けた状態の平面図である。
【図４】図１に示す発熱器支持装置にこたつ用電熱器を取り付けた状態の平面図である。
【図５】図３に示す発熱器支持装置の使用状態を示す（Ａ）発熱器取付部が支持部の長さ方向に沿った位置にあるときのＡ−Ａ断面図、（Ｂ）発熱器取付部を支持部の長さ方向に対し垂直をなす位置に回転したときのＡ−Ａ断面図である。
【符号の説明】
１    布団
１０  発熱器支持装置
１１  支持部
１２  脚部
１３  発熱器取付部
１３ａ  補強部材
１４  水平材
１５  フレーム部材
１６  連結部材
１７  発熱器
１８  こたつ用電熱器
【図１】
2004226002.tif 000003
【図２】
2004226002.tif 000004
【図３】
2004226002.tif 000005
【図４】
2004226002.tif 000006
【図５】
2004226002.tif 000007